(57)【要約】【課題】試料載置面における蛍光灯からの光の放射照度の分布を均一化する。【解決手段】複数の蛍光灯３０，３０，・・・を、環境試験室１１の試料載置面２１の上方に対向する上部空間の周辺部分に偏在させて配置し、試料載置面２１における蛍光灯３０，３０，・・・からの光の放射照度の分布を、試料載置面２１の中央部における放射照度に対して±２５％の範囲内とする。【選択図】図２
2008128980.tif 000002
【特許請求の範囲】
【請求項１】
ボックス状の環境試験室を有する装置本体と、
前記環境試験室の下部に設けられ、上面に試料を載置するための試料載置面を有する試料台と、
前記環境試験室の上部に前記試料載置面の上方に対向して設けられ、該試料載置面に載置された試料に光線を照射するための複数の蛍光灯とを備えた光安定性試験装置であって、
前記複数の蛍光灯は、前記試料載置面における該蛍光灯からの光の放射照度の分布が、該試料載置面の中央部における放射照度に対して±２５％の範囲内となるように、前記環境試験室の該試料載置面の上方に対向する上部空間の周辺部分に偏在して配置されていることを特徴とする光安定性試験装置。
【請求項２】
請求項１において、
前記複数の蛍光灯は、平面視において少なくとも前後方向及び左右方向の何れか一方向に対して対称となるように配置されていることを特徴とする光安定性試験装置。
【請求項３】
請求項１又は２において、
前記複数の蛍光灯は、平面視において９０度又は１８０度の回転対称となるように配置されていることを特徴とする光安定性試験装置。
【請求項４】
請求項１乃至３のうち何れか１項において、
前記環境試験室の側壁面は、光線の反射率が２０％以上の反射材で構成されていることを特徴とする光安定性試験装置。
【請求項５】
請求項１乃至４のうち何れか１項において、
前記蛍光灯は棒状に形成されていることを特徴とする光安定性試験装置。
【請求項６】
請求項１乃至４のうち何れか１項において、
前記蛍光灯は円環状に形成されていることを特徴とする光安定性試験装置。
【請求項７】
請求項１乃至４のうち何れか１項において、
前記蛍光灯は点状に形成されていることを特徴とする光安定性試験装置。
【発明の詳細な説明】
【技術分野】
【０００１】
本発明は、光安定性試験装置に関し、特に、試料載置面における蛍光灯からの光の放射照度の分布を均一化するための技術に関する。
【背景技術】
【０００２】
従来より、医薬品等の光安定性を試験するための環境試験室を有する光安定性試験装置が知られている（例えば、特許文献１参照）。この光安定性試験装置では、ボックス状の環境試験室の上部に棒状の蛍光灯が複数並設され、環境試験室の下部にターンテーブル等の試料台が設けられている。
【０００３】
そして、蛍光灯から光線を照射しながら試料台の試料載置面を回転させることで、試料載置面に載置された試料に対して満遍なく光線を照射するようにしている。
【特許文献１】特開２００３−１４６１５号公報
【発明の開示】
【発明が解決しようとする課題】
【０００４】
ところで、この種の光安定性試験装置では、試料載置面における蛍光灯からの光の放射照度の分布が不均一でバラツキが生じることがあり、試料載置面における試料の載置位置によっては正確な光安定性の試験結果が得られないおそれがある。以下、放射照度の分布について説明する。
【０００５】
図１４は、従来の光安定性試験装置における蛍光灯の配置を示す平面図である。なお、図１４では、装置正面、装置背面、左右方向をそれぞれ矢印で示す方向に定義する。
【０００６】
図１４に示すように、棒状に形成された複数の蛍光灯３０，３０，・・・は、その長手方向と装置前後方向とが同一方向となるように且つ左右方向に並列に、環境試験室１１の上部空間に配設されている。ここで、複数の蛍光灯３０，３０，・・・は、２本おきに装置前後方向に位相を異にして配置されている。このような配置にすることで、蛍光灯３０を左右方向に一列に整列させた場合に比べてソケット３１，３１が邪魔にならず、限られた収容スペース内により多くの蛍光灯３０を収容できるようになっている。
【０００７】
図１５は、従来の光安定性試験装置の試料載置面における蛍光灯からの光の放射照度の分布を示す平面図である。図１５では、試料載置面２１及びその周辺部を複数のブロックに区画して、各ブロックにおける放射照度を測定している。ここで、１つのブロックの大きさは５０ｍｍ×５０ｍｍである。なお、図１５において、斜線で塗りつぶされているブロックは、試料載置面２１の中央部における放射照度に対して±１０％の範囲内であることを示し、×印が付されているブロックは±２５％以上の範囲であることを示している。斜線や×印の描かれていないブロックは、放射照度が±１０％から±２５％の範囲であることを示している。
【０００８】
図１５に示すように、従来の光安定性試験装置では、試料載置面２１の中央部近傍の放射照度が高く、試料載置面２１の周辺部に向かうほど放射照度が低くなっていることが分かる。具体的に、放射照度が±１０％の範囲内のブロックが、装置前後方向に長軸を有する楕円形状に分布している。そして、試料載置面２１の外周部、特に左右方向端部では、中央部における放射照度の±２５％以上の放射照度となっている。
【０００９】
これは、試料載置面２１の中央部においては、並設した複数の蛍光灯３０，３０，・・・からそれぞれ光線が均等に照射されて重ね合わされるのに対し、試料載置面２１の外周部分においては複数の蛍光灯３０，３０，・・・から照射される光線の光強度に強弱が生じているからであると考えられる。
【００１０】
具体的に、装置右端側のブロックに注目すると、その上方に配置されている装置右端側の蛍光灯３０からは光線が直接照射されるために光強度は強いが、装置左端側の蛍光灯３０から照射される光線は、装置右端のブロックに到達するまでの間に減衰されて光強度が弱まることとなり、照射された光線が重ね合わされた結果、試料載置面２１の中央部に比べて光強度が弱まるからであると考えられる。
【００１１】
このような放射照度の不均一が生じると、試料載置面２１に載置する試料の位置によって光安定性の試験結果が異なるおそれがあり、好ましくない。
【００１２】
本発明は、かかる点に鑑みてなされたものであり、その目的とするところは、試料載置面における蛍光灯からの光の放射照度の分布を均一化することにある。
【課題を解決するための手段】
【００１３】
すなわち、請求項１の発明は、ボックス状の環境試験室を有する装置本体と、
前記環境試験室の下部に設けられ、上面に試料を載置するための試料載置面を有する試料台と、
前記環境試験室の上部に前記試料載置面の上方に対向して設けられ、該試料載置面に載置された試料に光線を照射するための複数の蛍光灯とを備えた光安定性試験装置であって、
前記複数の蛍光灯は、前記試料載置面における該蛍光灯からの光の放射照度の分布が、該試料載置面の中央部における放射照度に対して±２５％の範囲内となるように、前記環境試験室の該試料載置面の上方に対向する上部空間の周辺部分に偏在して配置されていることを特徴とするものである。
【００１４】
請求項１の発明では、複数の蛍光灯が環境試験室の試料載置面の上方に対向する上部空間の周辺部分に偏在して配置され、試料載置面における蛍光灯からの光の放射照度の分布が、試料載置面の中央部における放射照度に対して±２５％の範囲内とされる。
【００１５】
請求項２の発明は、前記複数の蛍光灯は、平面視において少なくとも前後方向及び左右方向の何れか一方向に対して対称となるように配置されていることを特徴とするものである。
【００１６】
請求項３の発明は、前記複数の蛍光灯は、平面視において９０度又は１８０度の回転対称となるように配置されていることを特徴とするものである。
【００１７】
請求項２又は３の発明では、平面視において少なくとも前後方向及び左右方向の何れか一方向に対して対称となるように、若しくは、９０度又は１８０度の回転対称となるように、複数の蛍光灯が配置される。
【００１８】
請求項４の発明は、前記環境試験室の側壁面は、光線の反射率が２０％以上の反射材で構成されていることを特徴とするものである。
【００１９】
請求項４の発明では、環境試験室の側壁面を構成する反射材により、蛍光灯から照射された光線の２０％以上が反射され、１次反射光及び２次反射光が試料載置面上の試料に照射される。
【００２０】
請求項５の発明は、前記蛍光灯は棒状に形成されていることを特徴とするものである。
【００２１】
請求項６の発明は、前記蛍光灯は円環状に形成されていることを特徴とするものである。
【００２２】
請求項７の発明は、前記蛍光灯は点状に形成されていることを特徴とするものである。
【００２３】
請求項５乃至７の発明では、棒状、円環状、又は点状等の様々な形状の蛍光灯を用いて、光安定性試験が行われる。
【発明の効果】
【００２４】
以上のように、本発明によれば、複数の蛍光灯を環境試験室の試料載置面の上方に対向する上部空間の周辺部分に偏在して配置するようにしたから、試料載置面における蛍光灯からの光の放射照度の分布を、試料載置面の中央部における放射照度に対して±２５％の範囲内とすることができ、試料載置面における放射照度の分布を均一化することができる。これにより、試料載置面における試料の載置位置によって放射照度が異なってしまうことを防止して、より正確な光安定性試験を行うことができ、信頼性が向上する。
【００２５】
また、環境試験室の側壁面を光線の反射率が２０％以上の反射材で構成したから、蛍光灯から照射された光線を反射して１次反射光及び２次反射光を試料に対して的確に照射することができ、放射照度の分布をさらに均一化する上で有利な効果が得られる。
【発明を実施するための最良の形態】
【００２６】
以下、本発明の実施形態を図面に基づいて説明する。なお、以下の好ましい実施形態の説明は、本質的に例示に過ぎず、本発明、その適用物或いはその用途を制限することを意図するものではない。
【００２７】
図１は、本発明の実施形態に係る光安定性試験装置の構成を模式的に示す正面図である。図１に示すように、光安定性試験装置１０は、ボックス状の環境試験室１１を有する装置本体１２と、環境試験室１１の下部に設けられ、上面に試料Ｓ，Ｓ，・・・を載置するための試料載置面２１を有する試料台２０と、環境試験室１１の上部に試料載置面２１の上方に対向して設けられ、試料載置面２１に載置された試料Ｓ，Ｓ，・・・に光線を照射するための複数の蛍光灯３０，３０，・・・とを備えている。
【００２８】
前記装置本体１２には、図示しない開閉扉が装置正面側に開閉自在に取り付けられており、この開閉扉を開閉することで、環境試験室１１を開放又は閉塞することができるようになっている。環境試験室１１内では、試料載置面２１に載置された試料Ｓとしての医薬品等に対して、紫外線を含む光線が蛍光灯３０，３０，・・・から照射され、試料Ｓの光安定性が試験される。すなわち、医薬品の製造承認申請を受けるために必要な耐光試験のデータを得ることができる。
【００２９】
前記環境試験室１１の側壁面は、蛍光灯３０から照射される光線の反射率が２０％以上の反射材１３で構成されており、本実施形態では、ステンレスのＢ２板を用いている。
【００３０】
前記装置本体１２における環境試験室１１の下方には、環境試験室１１内の温度又は湿度条件や、蛍光灯３０の放射照度や紫外線強度等を制御するための制御部１４が設けられている。
【００３１】
前記試料台２０は、試料Ｓを載置する試料載置面２１を有しており、試料載置面２１は、回転軸２２を中心に回転自在に構成されている。回転軸２２は、試料台２０内部に設けられた図示しないモータにより回転駆動される。
【００３２】
なお、本実施形態では、試料台２０の試料載置面２１を回転自在に構成したものについて説明したが、この形態に限定するものではなく、例えば、試料載置面２１が単に設置されているだけで回転しない構成としても構わない。
【００３３】
前記複数の蛍光灯３０，３０，・・・は、紫外線を含む光線を試料Ｓに対して照射するためのものであり、棒状に形成され且つその両端に差込プラグ（図示せず）が設けられており、環境試験室１１の上部に設けられたソケット３１，３１，・・・に差し込むことで、環境試験室１１の上部空間に取り付けられる。
【００３４】
図２は、蛍光灯の配置を示すＡ−Ａ矢視断面図である。なお、図２では、装置正面、装置背面、左右方向を矢印で示す方向に定義する。
【００３５】
図２に示すように、複数の蛍光灯３０，３０，・・・は、試料載置面２１の上方に対向する上部空間の周辺部分に偏在して配置されている。具体的に、環境試験室１１内の左端側には、棒状に形成された複数の蛍光灯３０，３０，・・・の長手方向と装置前後方向とが同一方向となるように且つ左右方向に並列に４本配置されている。これら蛍光灯３０，３０，・・・は、環境試験室１１の奥行き長さよりも短い長さに形成されており、それぞれの蛍光灯３０の正面側端が装置正面寄りに配置されることで、蛍光灯３０の背面側端と装置背面との間には隙間が設けられている。
【００３６】
また、環境試験室１１内の右端側にも同様に、蛍光灯３０の長手方向と装置前後方向とが同一方向となるように且つ左右方向に並列に４本配置されている。それぞれの蛍光灯３０の背面側端が装置背面寄りに配置されることで、蛍光灯３０の正面側端と装置正面との間には隙間が設けられている。
【００３７】
このように、環境試験室１１内の左端側と右端側にそれぞれ配置された蛍光灯３０，３０，・・・は、装置前後方向において互いに位相を異にして配置されている。
【００３８】
そして、これら蛍光灯３０，３０，・・・と装置正面及び装置背面との隙間には、蛍光灯３０の長手方向と装置左右方向とが同一方向となるように、蛍光灯３０，３０，・・・がそれぞれ３本ずつ並列に配置されている。
【００３９】
ここで、左右方向に延びる蛍光灯３０，３０，・・・のうち、装置正面の隙間に配置された蛍光灯３０，３０，・・・は、その左側端が装置左端側で前後方向に延びる蛍光灯３０，３０，・・・の正面側端寄りに配置される。
【００４０】
また、装置背面の隙間に配置された蛍光灯３０，３０，・・・は、その右側端が装置右端側で前後方向に延びる蛍光灯３０，３０，・・・の背面側端寄りに配置される。
【００４１】
このようにすれば、試料載置面２１の中央部を除く周辺領域に、複数の蛍光灯３０，３０，・・・が「ロ」の字型に配置される。この場合、複数の蛍光灯３０，３０，・・・は、平面視において１８０度の回転対称となっている。
【００４２】
なお、図２では、左右方向に延びる蛍光灯３０，３０，・・・の両端部から、前後方向に延びる蛍光灯３０，３０，・・・がなるべくはみ出さないように「ロ」の字型を形成するような配置としているが、これに限定するものではなく、例えば、図３に示すように、前後方向に延びる蛍光灯３０，３０，・・・を、さらに左右方向外方に配置することで「ロ」の字型の中空部の面積を大きくするようにしても構わない。
【００４３】
図４は、本実施形態に係る光安定性試験装置の試料載置面における蛍光灯からの光の放射照度の分布を示す図である。図４では、試料載置面２１及びその周辺部を複数のブロックに区画して、各ブロックにおける放射照度を測定している。ここで、１つのブロックの大きさは５０ｍｍ×５０ｍｍである。なお、斜線で塗りつぶされているブロックは、試料載置面２１の中央部における放射照度に対して±１０％の範囲内であることを示し、×印が付されているブロックは±２５％以上の範囲であることを示している。
【００４４】
図４に示すように、本実施形態に係る光安定性試験装置１０では、試料載置面２１の中央部における放射照度に対して±１０％の範囲内である領域が、試料載置面２１の中央部を中心に略円形状、より正確には左右方向に若干長くなった長軸を有する楕円形状に分布していることが分かる。そして、中央部における放射照度に対して±２５％以上の範囲となる放射照度は、測定領域の四隅に分布するのみとなっている。このように、試料載置面２１内では、放射照度の分布が中央部の±２５％の範囲内におさまっており、試料載置面２１における蛍光灯からの光の放射照度の分布が均一化されていることが分かる。
【００４５】
図５は、本実施形態に係る光安定性試験装置の環境試験室の側壁面における光線の反射率を向上させた場合の試料載置面における放射照度の分布を示す図である。なお、図４に示す例では、環境試験室１１の側壁面としてステンレスのＢ２板を用いたが、図５に示す例では、光沢性のあるステンレスのＢＡ板を用いている。この他にも、アルミ板や、金メッキを施した金メッキ板などを用いても構わない。
【００４６】
図５に示すように、環境試験室１１の側壁面における光線の反射率を向上させた場合には、試料載置面２１の中央部における放射照度に対して±１０％の範囲内である領域が、試料載置面２１の略全面に広がっている。そして、中央部における放射照度に対して±２５％以上の範囲となる放射照度は、測定領域の四隅に分布するのみとなっている。このように、試料載置面２１内では、放射照度の分布が中央部の±２５％の範囲内におさまっており、試料載置面２１における蛍光灯からの光の放射照度の分布がさらに均一化されていることが分かる。
【００４７】
以上のように、本実施形態に係る光安定性試験装置１０によれば、試料載置面２１における蛍光灯３０からの光の放射照度の分布を、試料載置面２１の中央部における放射照度に対して±２５％の範囲内として、試料載置面２１における放射照度の分布を均一化することができる。これにより、試料載置面２１の載置位置によって試料Ｓに照射される放射照度が異なってしまうことを防止して、より正確な光安定性試験を行うことができ、信頼性が向上する。
【００４８】
また、環境試験室１１の側壁面を光線の反射率が２０％以上の反射材１３で構成したから、蛍光灯３０から照射された光線を反射して１次反射光及び２次反射光を試料Ｓに対して的確に照射することができ、放射照度の分布をさらに均一化する上で有利となる。
【００４９】
＜その他の実施形態＞
前記実施形態については、以下のような構成としてもよい。
【００５０】
例えば、前記実施形態の光安定性試験装置１０において、複数の蛍光灯３０，３０，・・・の配置を図６に示すような配置としてもよい。
【００５１】
すなわち、図６に示すように、環境試験室１１内の左端側及び右端側には、棒状に形成された複数の蛍光灯３０，３０，・・・の長手方向と装置前後方向とが同一方向となるように且つ左右方向に並列に３本ずつ配置されている。これら蛍光灯３０は、前後方向の略中央位置に配置されている。
【００５２】
一方、環境試験室１１内の正面側及び背面側にも同様に、棒状に形成された複数の蛍光灯３０，３０，・・・の長手方向と装置左右方向とが同一方向となるように且つ前後方向に並列に３本ずつ配置されている。これら蛍光灯３０は、左右方向の略中央位置に配置されている。そして、装置前後方向に延びる蛍光灯３０と左右方向に延びる蛍光灯３０とは、前後方向及び左右方向においてオーバーラップしないように配置されている。
【００５３】
このような配置にすれば、複数の蛍光灯３０，３０，・・・は、平面視において前後方向及び左右方向に対して対称となり、さらに、９０度又は１８０度の回転対称となる。
【００５４】
なお、装置の小型化により、環境試験室１１内の装置前後方向の長さが図６に示す環境試験室１１に比べて短い場合には、図７に示すように、正面側及び背面側に配置された蛍光灯３０をそれぞれ１本ずつ取り除いて前後方向に並列に２本ずつ配置するようにすればよい。この場合には、複数の蛍光灯３０，３０，・・・は、平面視において前後方向及び左右方向に対して対称となり、さらに、１８０度の回転対称となる。
【００５５】
また、図６及び図７に示す配置例では、装置前後方向に延びる蛍光灯３０と左右方向に延びる蛍光灯３０とは、左右方向においてオーバーラップしないように配置されているが、装置が大型化してしまうため、以下のような配置としてもよい。
【００５６】
すなわち、図８に示すように、環境試験室１１内の左端側及び右端側には、棒状に形成された複数の蛍光灯３０，３０，・・・の長手方向と装置前後方向とが同一方向となるように且つ左右方向に並列に２本ずつ配置されている。これら蛍光灯３０は、前後方向の略中央位置に配置されている。
【００５７】
一方、環境試験室１１内の正面側及び背面側にも同様に、棒状に形成された複数の蛍光灯３０，３０，・・・の長手方向と装置左右方向とが同一方向となるように且つ前後方向に並列に３本ずつ配置されている。これら蛍光灯３０は、左右方向の略中央位置に配置さている。そして、左右方向に延びる蛍光灯３０は、図６及び図７に示す配置に比べて試料載置面２１の中央部寄りに配置され、装置前後方向に延びる蛍光灯３０と左右方向に延びる蛍光灯３０とは、左右方向においてオーバーラップしている。この場合には、複数の蛍光灯３０，３０，・・・は、平面視において前後方向及び左右方向に対して対称となり、さらに、１８０度の回転対称となる。
【００５８】
また、図９では、図８で用いた蛍光灯３０に比べて長さの短い蛍光灯４０を用いた配置例を示している。図９に示すように、環境試験室１１内の左端側及び右端側には、棒状に形成された２本の蛍光灯４０，４０が装置前後方向に同軸となるように配置され、この２本の蛍光灯４０，４０の組が左右方向に並列に２組ずつ配置されている。
【００５９】
一方、環境試験室１１内の正面側及び背面側にも同様に、棒状に形成された２本の蛍光灯４０，４０が左右方向に同軸となるように配置され、この２本の蛍光灯４０，４０の組が装置前後方向に並列に３組ずつ配置されている。この場合には、複数の蛍光灯４０，４０，・・・は、平面視において前後方向及び左右方向に対して対称となり、さらに、１８０度の回転対称となる。
【００６０】
また、図１０では、環境試験室１１内の左端側及び右端側に配置された蛍光灯４０ａと、正面側及び背面側に配置された蛍光灯４０ｂとの長さが異なる場合について例示している。
【００６１】
図１０に示すように、環境試験室１１内の左端側及び右端側には、棒状に形成された２本の蛍光灯４０ａ，４０ａが装置前後方向に同軸となるように配置され、この２本の蛍光灯４０ａ，４０ａの組が左右方向に並列に３組ずつ配置されている。
【００６２】
一方、環境試験室１１内の正面側及び背面側には、棒状に形成された蛍光灯４０ｂ，４０ｂ，・・・の長手方向と装置左右方向とが同一方向となるように且つ前後方向に並列に３本ずつ配置されている。この場合には、複数の蛍光灯４０ａ，４０ｂは、平面視において前後方向及び左右方向に対して対称となり、さらに、１８０度の回転対称となる。
【００６３】
なお、図１０では、環境試験室１１内の左端側及び右端側に配置された蛍光灯４０ａの方が、正面側及び背面側に配置された蛍光灯４０ｂよりも短い場合について例示しているが、この形態に限定するものではない。
【００６４】
また、図１１では、環境試験室１１内に並列に配置した複数の蛍光灯３０，３０，・・・のうち、環境試験室１１の中央部の蛍光灯３０を取り除いたような配置とすることで、環境試験室１１の上部空間の周辺部分に蛍光灯３０を偏在させた場合について例示している。
【００６５】
図１１に示すように、環境試験室１１内の左端側及び右端側には、棒状に形成された複数の蛍光灯３０，３０，・・・の長手方向と装置前後方向とが同一方向となるように且つ左右方向に並列に４本ずつ配置されている。これら蛍光灯３０は、前後方向の略中央位置に配置されている。この場合には、複数の蛍光灯３０，３０，・・・は、平面視において前後方向及び左右方向に対して対称となり、さらに、１８０度の回転対称となる。
【００６６】
このようにすれば、環境試験室１１の上部空間の周辺部分に蛍光灯３０を偏在して配置することができ、前記実施形態と同様に、環境試験室１１の上部空間全体に蛍光灯３０を並列に配置した場合に比べて、試料載置面２１における蛍光灯３０からの光の放射照度が均一化されるため好ましい。なお、試料載置面２１の中央部の蛍光灯３０，３０，・・・の本数をさらに減らして、中空部の面積を大きくするようにしても構わない。
【００６７】
また、図１２に示すように、円環状の蛍光灯５０を用いるようにしても構わない。すなわち、直径の異なる３本の円環状の蛍光灯５０，５０，・・・を、試料載置面２１の中央部を中心に同心円状に配置するようにすればよい。この場合には、複数の蛍光灯５０，５０，・・・は、平面視において前後方向及び左右方向に対して対称となり、さらに、９０度及び１８０度の回転対称となる。
【００６８】
また、図１３に示すように、電球状に形成された点状の蛍光灯５５，５５，・・・を互いに間隔をあけて複数配置するようにしても構わない。すなわち、環境試験室１１の上部空間に、環境試験室１１の中心部を同心とする外径の異なる３つの仮想正方形の４辺に沿って、互いに間隔をあけて複数の蛍光灯５５，５５，・・・が配置されている。
【００６９】
なお、図１３に示す例では、点状の蛍光灯５５，５５，・・・として電球状に形成されたものについて説明したが、この形態に限定するものではなく、例えば、ＬＥＤ（Light Emitting Diode）やＨＩＤランプ （High Intensity Discharge Lamps） 等の点状の光源を用いるようにしても構わない。
【００７０】
この場合には、複数の蛍光灯５５，５５，・・・は、平面視において前後方向及び左右方向に対して対称となり、さらに、９０度及び１８０度の回転対称となる。
【００７１】
なお、上述した蛍光灯の本数は、図面を用いて説明した本数に限定するものではなく、装置の大きさ等に応じて本数を増減させるようにしても構わない。
【産業上の利用可能性】
【００７２】
以上説明したように、本発明は、試料載置面における蛍光灯からの光の放射照度の分布を均一化することができるという実用性の高い効果が得られることから、きわめて有用で産業上の利用可能性は高い。
【図面の簡単な説明】
【００７３】
【図１】本発明の実施形態に係る光安定性試験装置の構成を模式的に示す正面図である
【図２】蛍光灯の配置例を示すＡ−Ａ矢視断面図である。
【図３】蛍光灯の別の配置例を示すＡ−Ａ矢視断面図である。
【図４】試料載置面における蛍光灯からの光の放射照度の分布を示す図である。
【図５】環境試験室の側壁面における光線の反射率を向上させた場合の試料載置面における放射照度の分布を示す図である。
【図６】他の実施形態に係る蛍光灯の配置例を示す平面図である。
【図７】他の実施形態に係る蛍光灯の配置例を示す平面図である。
【図８】他の実施形態に係る蛍光灯の配置例を示す平面図である。
【図９】他の実施形態に係る蛍光灯の配置例を示す平面図である。
【図１０】他の実施形態に係る蛍光灯の配置例を示す平面図である。
【図１１】他の実施形態に係る蛍光灯の配置例を示す平面図である。
【図１２】他の実施形態に係る蛍光灯の配置例を示す平面図である。
【図１３】他の実施形態に係る蛍光灯の配置例を示す平面図である。
【図１４】従来の光安定性試験装置における蛍光灯の配置を示す平面図である。
【図１５】従来の光安定性試験装置の試料載置面における蛍光灯からの光の放射照度の分布を示す平面図である。
【符号の説明】
【００７４】
１０    光安定性試験装置
１１    環境試験室
１２    装置本体
１３    反射材
２０    試料台
２１    試料載置面
３０    蛍光灯
【図１】
2008128980.tif 000003
【図２】
2008128980.tif 000004
【図３】
2008128980.tif 000005
【図４】
2008128980.tif 000006
【図５】
2008128980.tif 000007
【図６】
2008128980.tif 000008
【図７】
2008128980.tif 000009
【図８】
2008128980.tif 000010
【図９】
2008128980.tif 000011
【図１０】
2008128980.tif 000012
【図１１】
2008128980.tif 000013
【図１２】
2008128980.tif 000014
【図１３】
2008128980.tif 000015
【図１４】
2008128980.tif 000016
【図１５】
2008128980.tif 000017